(57)【特許請求の範囲】
【請求項１】
複写元記録装置から、複数の同型の複写先記録装置へ記録情報を複写する複写装置における複写先記録装置の接続装置であって、
複写先記録装置がそれぞれ配置される複数の収容部と、
前記各収容部に設けられ、該記録装置の基準位置を位置決めする位置決め機構と、
各基準位置に応じて位置決め配置され、記録装置の電源端子が接続される第１接続端子と、
前記各収容部に対応する位置にそれぞれ配設され、記録装置の信号端子が接続される第２接続端子と、
前記各第２接続端子が固定され、前記第１接続端子に対して相対移動自在に支持された移動部材とを有し、前記移動部材の移動によって、各第１接続端子と各第２接続端子との相対位置を同時に調整可能とした記録装置の接続装置。
【請求項２】
前記第１接触端子は、複写先記録装置の端子に挿入される挿入部と、
前記挿入部の先端面に設けられ、複数の接触子を束ねて構成された接触部とを有し、
前記複数の接触子は、前記挿入部の先端面に対して、それぞれ独立して出没自在に設けられている請求項１に記載の記録装置の接続装置。
【請求項３】
請求項１又は２に記載された記録装置の接続装置を備え、情報読取手段と、前記情報読取手段で読取った情報を記憶する記憶手段と、前記各記録装置毎に設けられ、前記記憶手段に記憶されている情報を前記各接続端子に接続された前記各記録装置へ書き込む書込手段とを有し、前記記憶手段は、複数の記憶領域を有し、各記憶領域毎に、前記情報読取手段からの情報の入力と、前記書込手段への情報の出力とを同時に行ないうることを特徴とする記録装置の接続装置を備えた複写装置。
【発明の詳細な説明】
【０００１】
【発明の属する技術分野】
本発明は、ハードディスクなどの記録装置に記憶された情報を他の記録装置に複写するための装置に関するものである。
【０００２】
【従来の技術】
パーソナルコンピュータ等における記録装置には種々のものがあるが、各種プログラムを格納するものとしてハードディスクが主として用いられている。このパーソナルコンピュータの使用を開始する際には、ハードディスクに各種プログラム等を書込んで使用可能な状態とする作業が必要となる（以下、「インストール」という）。このインストール作業は、きわめて手間のかかる作業であり、専門知識を有する者にとっても、きわめて面倒でかつ時間のかかるものであった。
【０００３】
【発明が解決しようとする課題】
近年、パーソナルコンピュータに内臓される中央処理装置（ＣＰＵ：Ｃｅｎｔｒａｌ  Ｐｒｏｃｅｓｓｉｎｇ  Ｕｎｉｔ）の性能の向上や、メモリの大型化などによって、より複雑なプログラムを利用することができるようになったため、上記インストール作業に一層時間と手間がかかり、より高度な専門的な知識が必要となっている。
さらに、パーソナルコンピュータの普及に伴い、パーソナルコンピュータの販売台数が急増し、各パーソナルコンピュータ毎に行なうインストール作業を、従来よりもより迅速に、かつ正確に行なうことが必要とされている。
【０００４】
一方、従来、１つの複写元ハードディスクから複数の複写先ハードディスクにデータをコピーする装置が提案されているが、この装置は、単一の制御装置により構成されており、同時に複数のハードディスクへのコピーを行なうものではなく、各複写先ハードディスクに対して順番にコピーを行なうものである。このような構成では、複雑な手動操作は不要となるものの、接続する複写先ハードディスクの数に比例して、複写時間が長くなり、複写作業の効率化にはあまり寄与しない。また、複数の複写先ハードディスクを装置に脱着する手間がかかるといった問題もある。
【０００５】
さらに、ハードディスクは、機械的構成を含んでおり、同一種類のハードディスクであっても、動作時間に多少の差が存在する。このような差は、電気的にデータを転送する転送速度に比較すると、大きなものとなる。つまり、動作時間に差があるため、単一の制御装置から各複写先ハードディスクに同時にデータを転送することは技術的に困難であった。
本発明は、高度な専門知識を有さない者でも容易に扱うことができ、かつ複数の記録装置に短時間に情報を複写をすることができる装置を提供することにある。
【０００６】
【課題を解決するための手段】
このような目的は、以下の本発明によって達成される。
【０００７】
（１）  複写元記録装置から、複数の複写先記録装置へ記録情報を複写する複写装置における複写先記録装置の接続装置であって、
複写先記録装置がそれぞれ配置される複数の収容部と、
前記各収容部に設けられ、該記録装置の基準位置を位置決めする位置決め機構と、
各基準位置に応じて位置決め配置され、記録装置の電源端子が接続される第１接続端子と、
前記各収容部に対応する位置にそれぞれ配設され、記録装置の信号端子が接続される第２接続端子と、
前記各第２接続端子が固定され、前記第１接続端子に対して相対移動自在に支持された移動部材とを有し、前記移動部材の移動によって、各第１接続端子と各第２接続端子との相対位置を同時に調整可能とした記録装置の接続装置。
【０００８】
（２）  前記第１接触端子は、複写先記録装置の端子に挿入される挿入部と、
前記挿入部の先端面に設けられ、複数の接触子を束ねて構成された接触部とを有し、
前記複数の接触子は、前記挿入部の先端面に対して、それぞれ独立して出没自在に設けられている上記（１）に記載の記録装置の接続装置。
【００１０】
（３）  上記（１）又は（２）に記載された記録装置の接続装置を備え、情報読取手段と、前記情報読取手段で読取った情報を記憶する記憶手段と、前記各記録装置毎に設けられ、前記記憶手段に記憶されている情報を前記各接続端子に接続された前記各記録装置へ書き込む書込手段とを有し、前記記憶手段は、複数の記憶領域を有し、各記憶領域毎に、前記情報読取手段からの情報の入力と、前記書込手段への情報の出力とを同時に行ないうることを特徴とする記録装置の接続装置を備えた複写装置。
【００１１】
【発明の実施の形態】
以下、本発明の好適実施形態について、添付図面に基づいて詳細に説明する。
図１は、本発明の記憶媒体の接続装置１の正面側からの全体斜視図、図２は、同じく背面側からの全体斜視図、図３は、同じく断面側面図である。
【００１２】
本接続装置１は、箱型の基台２と、基台２の背面側に設けられた第２の接続端子４１ａ〜４１ｃと、第２の接続端子４１ａ〜４１ｃが固定された移動部材５と、基台２上に配設された収容部２１ａ〜２１ｃと、収容部２１ａ〜２１ｃ毎に設けられている位置決め機構６３ａ〜６３ｃと、取外し機構６ａ〜６ｃなどを備えている。
基台２は、天板２１と、正面板２２と、一対の側面板２３ａ、２３ｂと、図２に示されている背面板２６とによって、箱型に形成されており、天板２１上は３つに仕切られ、３つの収容部２１ａ〜２１ｃが図中横方向に配設された構成となっている。
【００１３】
各収容部２１ａ〜２１ｃには、図４に示されているような、記録装置であるハードディスクユニット９がそれぞれ収容される。
このハードディスクユニットは、例えば、次のような構成を有している。ハードディスクユニット９は、円盤状の記録媒体と、この記録媒体に信号を読み書きするヘッドと、これら記録媒体とヘッドを駆動させる駆動装置とを有し、これらをケーシング９０内に収容して構成されており、ケーシング９０には、駆動装置に駆動電力を供給するための電源端子９２と、記録媒体に読み書きするための信号を入出力する信号端子９１が設けられている。このハードディスクユニット９の構成例は、一例であり、他の構成、例えば信号端子９１と電源端子９２が一体となって、端子が１つのものなどがある。この電源端子９２に対する信号端子９１の位置は、ハードディスクユニットのメーカの違いや機種によって異なる。
【００１４】
また、収容部２１ａ〜２１ｃの背面側には、第１の接続端子３ａ〜３ｃと第２の接続端子４１ａ〜４１ｃが、それぞれ１つづつ設けられている。この第１の接続端子３ａ〜３ｃには、上記ハードディスクユニット９の電源端子９２が、第２の接続端子４１ａ〜４１ｃには、上記ハードディスクユニット９の信号端子９１がそれぞれ接続される。
【００１５】
第１の接続端子３ａ〜３ｃの構成について、第１の接続端子３ｂを例に挙げて説明する。図３に示されているように、第１の接続端子３ｂは、天板２１の背面側端部に設けられている。天板２１の背面側端には、仕切板２５が固定され、この仕切板２５の上端部にネジ３２によって取付台３１が固定され、この取付台３１に第１の接続端子３ｂが固定されている。
【００１６】
図５に示されているように、接続端子３は、ハードディスクユニット９の電源端子９２に挿入される挿入部３０を有し、該挿入部３０の先端面には、４つの接触部３４ａ〜３４ｄが等間隔で配置されている。この各接触部３４ａ〜３４ｄ内には、複数の導電材で構成された接触子３５ａ〜３５ｄが束ねられた状態で出没自在に収容されている。これらの接触子３５ａ〜３５ｄは、ハードディスクユニット９の電源端子９２に設けられている接触子と接触し、電気的に接続される。
【００１７】
接触子３５ａ〜３５ｄの先端は、尖っているため、ハードディスクユニット側の接触子に確実に接続することができる。また、独立して出没移動できる複数の導電材で構成されているため、ハードディスクユニット側の接触子との位置がずれることがあっても、必ずいずれかの導電材が先端部または側面において接触し、電気的な接続を確保する。他の第１の接続端子３ａ、３ｂも、上記と同様の構成となっている。
【００１８】
一方、第２の接続端子４１ａ〜４１ｃは、一枚の移動部材５に固定されている。この移動部材５は、図３に示されているように、基台２の仕切板２５と背面板２６の間に配置され、基台２に対して、即ち、収容部２１ａ〜２１ｃに対して相対移動自在に支持されている。
【００１９】
図６は、移動部材５の背面図、図７は、基台２の背面図である。移動部材５は、板状の部材であって、フランジ５０と、矩形の孔５１ａ〜５１ｃと、固定手段を構成する締着ネジ５２とを有している。フランジ５０は、移動部材５の上下及び左右の端辺に形成され、移動部材５の強度を高めている。孔５１ａ〜５１ｃは、各収容部２１ａ〜２１ｃに対応した位置に形成され、この孔５１ａ〜５１ｃの、収容部２１ａ〜２１ｃ側には、基板７がネジ７１によって固定されている。基板７の収容部２１ａ〜２１ｃ側の面には、第２の接続端子４１ａ〜４１ｃがそれぞれ固定され、反対側の面には、第２の接続端子４１ａ〜４１ｃと電気的に接続されている接続端子４２ａ〜４２ｃが、孔５１ａ〜５１ｃ内において、それぞれ固定されている。
【００２０】
締着ネジ５２は、移動部材５の四隅にそれぞれ設けられている。締着ネジ５２は、ネジ部分の先端部が移動部材５に螺合し、かつ基台２の背面板２６に形成されている長孔２６３内を挿通している。また、締着ネジ５２の摘み部分は、背面板２６の外側に突出し、摘み部分を回転させて締着ネジ５２を締め付けることによって、移動部材５と締着ネジ５２の摘み部分で背面板２６を締着固定する構造となっている。即ち、長孔２６３と締着ネジ５２とによって、固定手段が構成されている。この長孔２６３の向きは、特に限定されないが、移動部材５の移動許容範囲の向きに合わせて設定すればよい。
移動部材５の各長辺に沿った位置には、２つのピン５３がそれぞれ立設されている。このピン５３は、背面板２６に形成されている長孔２６２内を挿通している。
【００２１】
背面板２６は、８つの長孔２６２、２６３と、３つの挿通孔２６１ａ〜２６１ｃを備えている。４つの長孔２６２は、移動部材５の４つのピン５３に対応する位置に形成され、４つの長孔２６３は、背面板２６の四隅において、移動部材５の締着ネジ５２に対応する位置に形成されている。これらの長孔２６２、２６３は、長手方向が、背面板２６の長辺に沿って形成されており、移動部材５の移動範囲を規制する。つまり、長孔２６２、２６３の長手方向の長さが移動部材５の左右方向の移動範囲とされる。また、長孔２６２、２６３の幅は、ピン５３、５２の挿通部分の軸径よりも大きく形成されており、この範囲が移動部材５の上下方向の移動範囲とされる。
【００２２】
挿通孔２６１ａ〜２６１ｃには、移動部材５に固定された接続端子４２ａ〜４２ｃが収容され、挿通孔２６１ａ〜２６１ｃの範囲内で、この接続端子４２ａ〜４２ｃが移動部材５とともに移動する。また、この接続端子４２ａ〜４２ｃには後述する書込手段の出力端子がそれぞれ接続される。
既述の第１の接続端子３ａ〜３ｃからは、接触子３５ａ〜３５ｄに接続されている電線３７が延び、その先端には書込手段の電源出力端子に接続される端子３６が接続されている。これらの電線３７も、挿通孔２６１ａ〜２６１ｃを挿通している。
【００２３】
一方、基台２上に配設されている各収容部２１ａ〜２１ｃには、それぞれ位置決め機構６３ａ〜６３ｃが設けられている。図１及び図２に示されているように、収容部２１ａ〜２１ｃの第１の接続端子３ａ〜３ｃに近接した側の端辺には、断面形状がＬ字形状の部材が配置され、位置決め機構６３ａ〜６３ｃが構成されている。この位置決め機構６３ａ〜６３ｃについて、以下位置決め機構６３ｂを例に挙げて説明する。位置決め機構６３ｂは、天板２１に対して直角な姿勢で固定されている縦基準面６３１と、天板２１に平行な横基準面６３２とを有している。また、反対側の端辺には、断面形状がＬ字形状の案内部材６４ｂが固定されており、案内部材６４ｂには、天板２１に平行な横基準面６４１が形成されている。位置決め機構６３ｂと案内部材６４ｂの間隔は、最も大きいハードディスクユニットの幅に合わせられている。
【００２４】
収容部２１ｂに収容されるハードディスクユニット９は、横基準面６３２、６４１上に載置され、天板２１に対する電源端子９２の位置（高さ）が決められる。つまり、電源端子９２が第１の接続端子３ｂの天板２１に対する高さと同じ高さとなるように位置決めされる。次に、ハードディスクユニット９の側面９３を縦基準面６３１に当接させると、縦基準面６３１からのハードディスクユニット９の電源端子９２が位置決めされ、電源端子９２は、第１の接続端子に対向する位置に位置決めされる。
【００２５】
つまり、位置決め機構６３ｂは、ハードディスクユニット９の電源端子９２の位置が、第１の接続端子３ｂの位置（基準位置）に位置決めされるように、各基準面６３１、６３２の位置が決められている。他の位置決め機構６３ａ、６３ｃも上記と同様に構成されている。
この位置決め機構６３ａ〜６３ｃの下側には、取外し機構６ａ〜６ｃが設けられている。以下、取外し機構６ｂを例に挙げて、図１及び図３に基づいて、説明する。取外し機構６ｂは、ハードディスクユニット９に当接する押出し部６２ｂを備えた可動部材６１と、操作部材６１５と、復帰手段であるバネ６１３とを備えている。
【００２６】
可動部材６１は、板状の部材で構成され、２つのスリット６１１ａ、６１１ｂと、突出部６２２ｂと、押出し部６２ｂとを有している。スリット６１１ａ、６１１ｂには、ガイドピン２４１、２４２が挿通している。このガイドピン２４１、２４２は、天板２１の下側に固定されている支持部材２４に立設されており、可動部材６１は、支持部材２４に対して、前後方向（図３中左右方向）移動自在に支持されている。つまり、支持部材２４のガイドピン２４１、２４２と、スリット６１１ａ、６１１ｂとによって、可動部材６１の動きを特定の方向へ案内する案内手段が構成される。
【００２７】
また、可動部材６１には、係止ピン６１２が立設されており、ガイドピン２４１と係止ピン６１２の間には、バネ６１３が張設されている。このバネ６１３によって、可動部材６１は、常時背面側（図３中左方向）へ付勢される。可動部材６１の背面側の端部（図３中左端）には、天板２１の上方へ突出した突出部６２２ｂが形成され、この突出部６２２ｂの上端部には、収容部２１ｂの内側方向へ屈曲し、当接部６２１ｂが形成されている。この突出部６２２ｂと当接部６２１ｂで押出し部６２ｂが構成される。押出し部６２ｂの当接部６２１ｂは、収容部２１ｂに収容されているハードディスクユニット９の背面側に位置する。
【００２８】
一方、可動部材６１の正面側の端部（図３中右端）には、連結部材６１４が固定され、その連結部材６１４の先端には、ピン接合部６１６を介して操作部材６１５が連結されている。操作部材６１５は、本体が正面板２２の外側に位置しており、操作部材６１５と正面板２２の間には緩衝材２２１ｂが介挿されている。ピン接合部６１６は、操作部材６１５本体の下端６１５ａよりも上端６１５ｂに近接し、図３中に想像線で示されているように、下端６１５ａを手前に引っ張ると、上端６１５ｂを支点として、ピン接合部６１６が可動部材６１を手前に引っ張り、この可動部材６１の移動によって、押出し部６２ｂが手前に移動する構成となっている。
【００２９】
以上のように構成された本発明の記憶媒体の接続装置１の作用について、説明する。２つのハードディスクユニット９を、両端の収容部２１ａ、２１ｃにセットする。この際、図７（ａ）に示されているように、固定手段である締着ネジ５２を緩めて、移動部材５が移動可能な状態としておく。まず、一方の端に位置する収容部２１ａの位置決め機構６３ａによって、ハードディスクユニット９の位置を決めることにより、ハードディスクユニット９の電源端子９２の位置を、第１の接続端子３ａに接続し得る位置に合わせる。次に、ハードディスクユニット９を動かさず、図７（ｂ）に示されているように、移動部材５を上下左右に動かして、ハードディスクユニット９の信号端子９１の位置に、第２の接続端子４１ａの位置を合わせる。そして、ハードディスクユニットを押し付けて、第１の接続端子３ａと電源端子９２、第２の接続端子４１ａと信号端子９１を接続させ、セットを完了する。
【００３０】
同様にして、他方の端に位置する収容部２１ｃにハードディスクユニット９をセットする。この時、収容部２１ａでハードディスクユニット９をセット済であるため、該ハードディスクユニット９によって、第１の接続端子と第２の接続端子の位置が決められている。つまり、１つの移動部材５に、３つの第２の接続端子が固定されているため、１つの接続端子の位置を決めれば、他の接続端子の位置調節をする必要がなく、セット位置がほぼ決まってしまい、他のハードディスクユニット９のセットが容易となる。
例えば、収容部２１ｃにハードディスクユニット９をセットする場合には、左右方向の位置はほぼ修正する必要はなく、上下方向の位置を若干修正だけでハードディスクユニット９をセットすることができる。
【００３１】
両端の収容部２１ａ、２１ｃのセットが完了した時点で、第２の接続端子４１ａ〜４１ｃの位置が確定し、各締着ネジ５２を締め付けて、移動部材５を固定する。そして、残ったハードディスクユニット９を収容部２１ｂにセットする。この際、第２の接続端子４１ｂの位置修正をすることなく、容易にハードディスクユニット９のセットをすることができる。
【００３２】
本実施形態では、収容部が３つの構成を示したが、収容部は、４つ以上であってもよい。特に、収容部の数が増えるに従って、本発明の作業効率が向上する。尚、収容部の数が特に多い場合には、両端の収容部のセットが完了した後は、その二つの収容部の真ん中に位置する収容部にハードディスクユニット９をセットし、さらに、そのハードディスクユニット９のセットが完了している収容部の間に位置する収容部の内、真ん中に位置する収容部にハードディスクユニット９をセットするといった順序でセット作業を行なうとよい。
【００３３】
信号の書込みが終了して、ハードディスクユニットを収容部２１から取外す場合には、取外し機構６を用いる。収容部２１ｂを例に挙げて説明する。ハードディスクユニット９がセットされた状態で、操作部材６１５ｂの下端を手前に引っ張ると、押出し部６２ｂが手前に移動する。これにより、当接部６２１ｂがハードディスクユニット９に当接し、第１の接続端子３ｂと第２の接続端子４１ｂからハードディスクユニット９が離脱する。その後、操作部材６１５ｂを離すと、バネ６１３によって、押出し部６２ｂは元の位置に復帰する。
【００３４】
以降に同じ型のハードディスクユニット９をセットする場合には、第２の接続端子４１ａ〜４１ｃの位置は既に決められているので、第２の接続端子４１ａ〜４１ｃの位置決め調整は不要となり、ハードディスクユニット９のセットがさらに容易にできる。
【００３５】
次に、上記接続装置１を備えた複写装置８について説明する。図８は、複写装置８の構成を示すブロック図である。複写装置８は、情報読取手段８１と、書込手段８２ａ〜８２ｃと、記憶手段であるメモリ１、２、３と、接続装置１とを備えている。情報読取手段８１と、書込手段８２ａ〜８２ｃは、例えばＬＳＩ（Ｌａｒｇｅ  Ｓｃａｌｅ  Ｉｎｔｅｇｒａｔｉｏｎ）で構成された論理ＩＣ（Ｉｎｔｅｇｒａｔｅｄ  Ｃｉｒｃｕｉｔ）が用いられる。論理ＩＣには、マイクロプロセッサなどの汎用ＩＣゃ、セミカスタムＩＣやフルカスタムＩＣのようなＡＳＩＣ（Ａｐｐｌｉｃａｔｉｏｎ  Ｓｐｅｃｉｆｉｃ  ＩＣ）を用いることができる。本実施形態では、セミカスタムＩＣ（Ｉｎｔｅｇｒａｔｅｄ  Ｃｉｒｃｕｉｔ）が用いられ、特に、処理速度の向上と、回路設計の容易さからＰＬＤ（Ｐｒｏｇｒａｍｍａｂｌｅ  Ｌｏｇｉｃ  Ｄｅｖｉｃｅ）が用いられている。また、メモリ１、２、３としては、例えばＲＡＭ（Ｒａｎｄｏｍ  Ａｃｃｅｓｓ  Ｍｅｍｏｒｙ）が用いられる。
【００３６】
書込手段８２ａ〜８２ｃは、接続装置１に接続された複写先記録装置である各ハードディスクユニット毎に１つづつ設けられており、また、メモリ１、２、３も情報読取手段８１と書込手段８２ａ〜８２ｃとの間に、１つづつ設けられている。情報読取手段８１で複写元記録装置であるマスターハードディスク８３から読取られた情報は、各メモリ１、２、３に送られ、書込手段８２ａ〜８２ｃによって、各メモリ１、２、３から読取られた情報は、接続装置１にセットされたハードディスクにコピーされる。コピーされる情報としては、データ、プログラムなどが挙げられる。
【００３７】
各メモリ１、２、３は、２つの記憶領域メモリ１ａ、１ｂ・・・を有している。２つの記憶領域を備えることによって、一方の記憶領域に情報を書き込んでいる間に、他方の記憶領域に記憶されている情報を読取ることができ、コピー側のハードディスクに書込みが終わるのを待たずに、次の情報を送ることができる。
【００３８】
以下、複写装置８の動作について、詳細に説明する。情報読取手段８１がマスターハードディスク８３から読取った情報は、メモリ１ａ、２ａ、３ａに同時に転送される。
一方、各メモリ１、２、３では、メモリへの転送が終了すると同時に、書込手段８２ａ〜８２ｃが、接続装置１にセットされているコピー用ハードディスクへの転送を開始する。
情報読取手段８１から各メモリ１、２、３への最初の転送が完了すると、次の情報の転送が始められる。このとき、最初に転送された記憶領域であるメモリ１ａからコピー用ハードディスクへの転送が終了していなくても、もう１つの記憶領域であるメモリ１ｂへ情報が転送される。つまり、情報読取手段８１側では、最初に転送された情報のコピー用ハードディスクへの転送の終了を待たずに、順次転送する情報を連続して転送することができ、情報読取装置８１の駆動効率が向上し、コピー時間が短縮される。
【００３９】
同様に、他のメモリ２、３に対しても、メモリ２ｂ、３ｂへ情報がメモリ１ｂへの転送と同時に転送される。次の情報の転送に際しては、すべてのメモリ１a、２ａ、３ａからの転送が終了したことを確認した後、メモリ１ａ、２ａ、３ａへ情報が同時に転送される。書込手段８２ａでは、メモリ１ａからの転送が終了すると、直ちにメモリ１ｂからの転送を開始する。即ち、メモリ１への情報の転送と、メモリ１からの情報の転送が同時に行なわれる。
同様にして、他のメモリ２、３についても、メモリへの情報の転送と、メモリからの情報の転送が同時に行なわれ、各ハードディスクへ連続して、かつ同時に情報が送られる。
【００４０】
なお、転送されるコピー側のハードディスクユニットは複数あり、またこれらのハードディスクユニットは機械的構造を含んでいるため、同一種類のハードディスクユニットであっても、電気的に情報を転送する速度に比較すれば、動作速度に差が生ずる。ハードディスクユニット間でこのような動作速度の差が生じても、コピー側ハードディスク毎に書込手段（ＣＰＵ）がそれぞれ設けられているため、各ハードディスクユニット毎の固有の書込み速度に応じた書込動作がなされる。このため、各ハードディスクユニット毎に生じた書込み時間の遅れが累積して、システム全体の動作時間に影響を与えることはない。つまり、各ハードディスクユニットの動作速度に合わせて各書込手段が個別にかつ同時にコピー動作をするため、他のハードディスクユニットのコピー速度に影響を与えず、データの転送を行なうことができる。
【００４１】
同様に、一つのハードディスクにエラーが生じてコピー動作が止まってしまった場合でも、システム全体のコピー動作を停止させることなく、他のハードディスクのコピー動作を続行することができる。
特に、本実施形態では、セミカスタムＩＣである、ＰＬＤを用いることによって、マイクロプロセッサなどの汎用ＩＣを用いる場合よりも処理速度（転送速度）が一層向上している。特にコピー側のハードディスクユニットの機種毎に異なる書込速度に応じて、書込み速度を変更することが可能となったので、機種毎に合わせたコピー動作ができる。つまり、書込み速度の速い機種であれば、機種に合わせた速い速度で書込みができ、書込み速度が遅い機種であれば、その書込み速度に応じた速度で書込むことができる。このように、ハードディスクユニットの機種に応じて、可能な限り処理速度を速くすることができ、かつ確実で安定した動作を確保することができる。
【００４２】
また、上記装置によるコピーは、システムレベルで行なわれるミラーコピーであるため、特別の知識を必要とせず、容易かつ迅速にハードディスクのコピーを行なうことができる。
【００４３】
以上説明した実施形態に限らず、他の実施形態でもよく、例えば、記録装置は、ハードディスクユニットに限らず、磁気ディスクユニット、ＭＯディスクユニットなどであってもよい。また、接続装置１にセットされるハードディスクユニットの姿勢は、横方向に限らず、縦向き、あるいは上下方向に重ねられていてもよい。
上記取外し機構によれば、セットされた記録装置の取外しが容易にでき、記録装置の交換を迅速にすることができるとともに、取外しの際の装置や接続端子の破損を未然に防ぐことができる。また、上記固定手段によれば、移動部材を固定することによって、接続端子の位置を固定することができ、一度接続端子の位置を決定すれば、繰り返し同じ規格の記録装置を容易にセットすることができる。
【００４４】
【発明の効果】
請求項１に記載の発明によれば、複数の記録装置を同時にセットすることができるとともに、記録装置の端子の位置に応じて、接続端子の位置を変更できるので、規格の異なる記録装置の接続ができ汎用性がある。例えば、一方の端に位置する収容部に記録装置をセットすると、その収容部で記録装置がセット済となり、該記録装置によって、第１接続端子と第２接続端子の位置が決められる。つまり、１つの移動部材に、複数の第２接続端子が固定されているため、１つの第２接続端子の位置を決めれば、他の第２接続端子の位置調節をする必要がなく、セット位置がほぼ決まってしまい、他の記録装置のセットが容易となる。
請求項２に記載の発明によれば、接触子が、独立して出没移動できる複数の導電材となっているため、記録装置側の接触子との位置がずれることがあっても、必ずいずれかの導電材が先端部または側面において接触し、電気的な接続を確保する。
請求項３に記載の発明によれば、短時間で複数の複写先記録装置に情報の複写ができ、複写先の記録装置に不具合が生じても他の複写先記録装置への複写動作に影響を与えることなく迅速に多数の記録装置への複写を完了させることができる。
【図面の簡単な説明】
【図１】本発明の記憶媒体の接続装置の正面側からの全体斜視図である。
【図２】同じく背面側からの全体斜視図である。
【図３】同じく断面側面図である。
【図４】ハードディスクユニットの端子部分を示す部分斜視図である。
【図５】第１の接続端子の部分斜視図である。
【図６】移動部材の背面図である。
【図７】本発明の記憶媒体の接続装置の背面図である。
【図８】本発明の複写装置の構成をしめすブロック図である。
【符号の説明】
１    記録装置の接続装置
２    基台
３    第１の接続端子
４１  第２の接続端子
５    移動部材
６    取外し機構
７    基盤
８    記録装置の接続装置を備えた複写装置
８１  情報読取手段
８２  書込手段
【図１】
0003673340.tif 000002
【図２】
0003673340.tif 000003
【図３】
0003673340.tif 000004
【図４】
0003673340.tif 000005
【図５】
0003673340.tif 000006
【図６】
0003673340.tif 000007
【図７】
0003673340.tif 000008
【図８】
0003673340.tif 000009